(57)【特許請求の範囲】
【請求項１】
ケーブルを収容して保護するケーブル保護管の本管と分岐管とを接続する分岐管継手であって、
前記本管の外面に密着して取り付けられるサドル部、
前記サドル部を前記本管に取り付けた状態で、前記サドル部から水平方向であってかつ前記本管の管軸に対して鋭角となる方向に突出する枝管部、および
前記本管の斜め上部に形成される分岐孔と前記枝管部の内部とを連通するように前記サドル部に形成され、前記本管の管軸に対して斜め方向に延びる開口を備え、
前記分岐管に新規の分岐ケーブルを引き込んでいるときに当該新規の分岐ケーブルが前記サドル部の前記開口を通過する際の通線位置は、当該開口の下部側縁における上部位置であり、前記分岐管への引き込みを終えた既設の分岐ケーブルの前記サドル部の前記開口での通線位置は、当該開口の底部位置に移動する、分岐管継手。
【請求項２】
ケーブルを収容して保護するケーブル保護管の本管と分岐管とを接続する分岐管継手であって、
前記本管の外面に密着して取り付けられるサドル部、
前記サドル部を前記本管に取り付けた状態で、前記サドル部から水平方向であってかつ前記本管の管軸に対して鋭角となる方向に突出する枝管部、
前記本管の斜め上部に形成される分岐孔と前記枝管部の内部とを連通するように前記サドル部に形成され、前記本管の管軸に対して斜め方向に延びる開口、および
前記開口の下部側縁に形成される分離部を備え、
前記分離部は、前記分岐管に新規の分岐ケーブルを引き込んでいるときに当該新規の分岐ケーブルが前記サドル部の前記開口を通過する際の通線位置である新規ケーブル挿通部と、前記分岐管への引き込みを終えた既設の分岐ケーブルの前記サドル部の前記開口での通線位置である既設ケーブル保持部とを分離する、分岐管継手。
【請求項３】
前記枝管部の突出方向と逆側の前記開口横に配置され、前記サドル部の内面から突出する突起部をさらに備え、
前記突起部は、前記分岐管に前記新規の分岐ケーブルを引き込んでいるときに当該突起部の上面に当該新規の分岐ケーブルを通過させて、当該新規の分岐ケーブルと前記本管に形成される前記分岐孔の側縁との接触を防止する、請求項１または２記載の分岐管継手。
【発明の詳細な説明】
【技術分野】
【０００１】
この発明は分岐管継手に関し、特にたとえば、ケーブルを収容して保護するケーブル保護管の本管と分岐管とを接続する、分岐管継手に関する。
【背景技術】
【０００２】
従来、通信線や電力線などのケーブルを地中に埋設する際には、ケーブルを保護するためのケーブル保護管が用いられている。
【０００３】
たとえば、道路に埋設されたケーブルを道路脇に建てられた建物内に引き込むときには、ケーブル保護管の本管を分岐し、建物の方向（つまり横方向）に延びる分岐管を設ける必要がある。このような場合には、本管と分岐管とを接続するための分岐管継手が用いられる。分岐管継手としては、様々な種類のものが提案されているが、ケーブル保護管が地中に埋設されるものであり、設置作業を行うときにはケーブル保護管の周囲を掘り起こす必要があること等を考慮すると、分岐管継手は、本管の上半部に接続でき、また本管の管頂よりも上方に突出しないものが望まれる。
【０００４】
特許文献１には、本管を横方向に分岐させるための分岐管継手の一例が開示されている。特許文献１の分岐管継手は、本管の斜め上方に設けられた開口部に分岐管を接続するための継手であり、サドル部と分岐管部（枝管部）とを含む。サドル部は、斜め上方に開口する分岐口を有しており、分岐管部は、本管の管軸と直交する水平方向に延びた後、曲折部を経て、本管の管軸方向に沿う水平方向に延びるようにサドル部に設けられている。このように、分岐管部を本管の斜め上部から水平方向に突出させることによって、分岐管部（延いては分岐管）が本管の管頂よりも上方に突出しないようにでき、本管の埋設深さを浅くできる。
【特許文献１】特許第４４２０４９９号[Ｆ１６Ｌ  ４１／０２]
【発明の概要】
【発明が解決しようとする課題】
【０００５】
しかしながら、特許文献１の分岐管継手では、分岐管部が、本管の管軸と直交する方向に延びた後、直角に曲がって本管の管軸方向に延びる。また、分岐管部の端部には、直角に曲がる曲管（分岐管）が接続される。このため、ケーブルの引込作業を行う際には、通線治具やケーブルが分岐管部を通るときの抵抗が大きくなり、通線治具が引っ掛かったり、ケーブルに過大な張力がかかったりする恐れがあった。また、新規に引き込もうとするケーブルが、既設ケーブルと絡まったり、潜り込みを起こしたり等して、ケーブルにかかる張力が増加してしまう問題もあった。つまり、ケーブルの引込作業の実施が困難であった。
【０００６】
それゆえに、この発明の主たる目的は、新規な、分岐管継手を提供することである。
【０００７】
この発明の他の目的は、ケーブルの引込作業を容易に行うことができる、分岐管継手を提供することである。
【課題を解決するための手段】
【０００８】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【０００９】
第１の発明は、ケーブルを収容して保護するケーブル保護管の本管と分岐管とを接続する分岐管継手であって、本管の外面に密着して取り付けられるサドル部、サドル部を本管に取り付けた状態で、サドル部から水平方向であってかつ本管の管軸に対して鋭角となる方向に突出する枝管部、および本管の斜め上部に形成される分岐孔と枝管部の内部とを連通するようにサドル部に形成され、本管の管軸に対して斜め方向に延びる開口を備え、分岐管に新規の分岐ケーブルを引き込んでいるときに当該新規の分岐ケーブルがサドル部の開口を通過する際の通線位置は、当該開口の下部側縁における上部位置であり、分岐管への引き込みを終えた既設の分岐ケーブルのサドル部の開口での通線位置は、当該開口の底部位置に移動する、分岐管継手である。
【００１０】
第１の発明では、分岐管継手（１０）は、サドル部（１２）および枝管部（１４）を含み、ケーブル保護管の本管（２０）に対して横方向に延びる分岐管（２２）を接続するために用いられる。サドル部は、本管の外面に沿うように湾曲する曲板状に形成され、本管の外面に取り付けられる。枝管部は、サドル部の外面に形成され、サドル部を本管に取り付けた状態で、本管の管軸に対して鋭角に突出して水平方向に延びるように形成される。また、サドル部には、本管の分岐孔（３８）と枝管部の内部とを連通するための開口（１６）が形成される。この開口は、本管の管軸に対して斜め方向に延びる形状を有する。
【００１１】
このような分岐管継手を用いて本管と分岐管とを接続すると、新たに分岐ケーブル（３６，３６ａ）を引き込む際には、枝管部が本管から鋭角に突出するように形成されていることから、枝管部で通線治具が引っ掛かることがない。このため、通線治具の挿入作業および新たな分岐ケーブルの引込作業を容易に行うことができる。
【００１２】
また、通線ヒモ等（３６ａ，４０）に引込張力が作用しているときには、開口が本管の管軸に対して斜め方向に延びるように形成されていることから、通線ヒモ等は、開口の下部側縁（１６ａ）に乗り上げるようにして分岐管の略管軸高さまで引き上げられる。一方、引込作業が終了して引込張力から解放された分岐ケーブル（３６，３６ｂ）は、自重によって開口の底部に移動する。つまり、通線ヒモ等は、既設の分岐ケーブルに対して上方および軸方向に分離された状態で牽引される。したがって、既設の分岐ケーブルに負荷をかけることもなく、新たな分岐ケーブルの引込作業を容易に行うことができる。
【００１３】
第１の発明によれば、既設の分岐ケーブルに影響を与えることも与えられることもなく、新たな分岐ケーブルの引込作業を容易に行うことができる。
【００１４】
第２の発明は、ケーブルを収容して保護するケーブル保護管の本管と分岐管とを接続する分岐管継手であって、本管の外面に密着して取り付けられるサドル部、サドル部を本管に取り付けた状態で、サドル部から水平方向であってかつ本管の管軸に対して鋭角となる方向に突出する枝管部、本管の斜め上部に形成される分岐孔と枝管部の内部とを連通するようにサドル部に形成され、本管の管軸に対して斜め方向に延びる開口、および開口の下部側縁に形成される分離部を備え、分離部は、分岐管に新規の分岐ケーブルを引き込んでいるときに当該新規の分岐ケーブルがサドル部の開口を通過する際の通線位置である新規ケーブル挿通部と、分岐管への引き込みを終えた既設の分岐ケーブルのサドル部の開口での通線位置である既設ケーブル保持部とを分離する、分岐管継手である。
【００１５】
第２発明では、第１の発明と同様に、分岐管継手（１０）は、サドル部（１２）および枝管部（１４）を含む。サドル部には、本管（２０）の分岐孔（３８）と枝管部の内部とを連通するための開口（１６）が形成され、この開口は、本管の管軸に対して斜め方向に延びる形状を有する。また、開口には、引込張力が作用する通線ヒモ等（３６ａ，４０）が通る新規ケーブル挿通部（４２）と、引込張力から解放された分岐ケーブル（３６，３６ｂ）が通る既設ケーブル保持部（４４）との間に、分離部（４６）が形成される。したがって、既設の分岐ケーブルに負荷をかけることもなく、新たな分岐ケーブルの引込作業を容易に行うことができる。
【００１６】
第２の発明によれば、第１の発明と同様に、既設の分岐ケーブルに影響を与えることも与えられることもなく、新たな分岐ケーブルの引込作業を容易に行うことができる。
【００１７】
第３の発明は、第１または第２の発明に従属し、枝管部の突出方向と逆側の開口横に配置され、サドル部の内面から突出する突起部をさらに備え、突起部は、分岐管に新規の分岐ケーブルを引き込んでいるときに当該突起部の上面に当該新規の分岐ケーブルを通過させて、当該新規の分岐ケーブルと本管に形成される分岐孔の側縁との接触を防止する。
【００１８】
第３の発明では、サドル部（１２）には、その内面から径方向に突出する突起部（１８）が形成される。突起部は、開口（１６）の横であって、枝管部（１４）の突出方向と逆の位置に配置される。
【００１９】
このような分岐管継手を用いて本管と分岐管とを接続すると、新たに分岐ケーブル（３６，３６ａ）を引き込む際には、通線ヒモ等（３６ａ，４０）が突起部の上面（１８ａ）上を通る。このとき、通線ヒモ等は、突起部によって本管径方向の位置が制限され、本管（２０）の分岐孔（３８）の側縁との接触が避けられる。
【００２０】
第３の発明によれば、通線ヒモ等と本管の分岐孔側縁との接触が避けられるので、通線ヒモ等の引っ掛かりや損傷を防止できる。
【発明の効果】
【００２１】
この発明によれば、既設の分岐ケーブルによって通線冶具の押し入れおよび引き込みが阻害されないので、新たな分岐ケーブルの引込作業を容易に行うことができる。
【００２２】
この発明の上述の目的、その他の目的、特徴および利点は、図面を参照して行う後述の実施例の詳細な説明から一層明らかとなろう。
【図面の簡単な説明】
【００２３】
【図１】この発明の一実施例である分岐管継手の使用状態を示す縦断面図である。
【図２】この発明の一実施例である分岐管継手の使用状態を示す平面図である。
【図３】この発明の一実施例である分岐管継手の使用状態を示す部分横断面図である。
【図４】この発明の一実施例である分岐管継手を示す正面図である。
【図５】図４の分岐管継手のサドル部外面側を示す側面図である。
【図６】図４の分岐管継手のサドル部内面側を示す側面図である。
【図７】分岐ケーブル引込時の通線ヒモ等の様子を示す平面図である。
【図８】分岐ケーブル引込時の通線ヒモ等の様子を示す部分横断面図である。
【図９】分岐ケーブル引込時の通線ヒモ等と既設ケーブルとの位置関係を示す部分横断面図である。
【図１０】図９に示す位置関係を本管内部から管軸方向に見た様子を示す図解図である。
【図１１】この発明の他の実施例である分岐管継手を示す正面図である。
【図１２】図１１の分岐管継手のサドル部内面側を示す側面図である。
【図１３】図１１の分岐管継手を使用したときの、分岐ケーブル引込時の通線ヒモ等と既設ケーブルとの位置関係を示す部分横断面図である。
【図１４】本管に形成される左右非対称の分岐孔の一例を示す部分横断面図である。
【発明を実施するための形態】
【００２４】
図１−３を参照して、この発明の一実施例である分岐管継手１０は、サドル部１２および枝管部１４を含み、ケーブル保護管の本管２０に対して分岐管２２を接続するために用いられる。ケーブル保護管は、地中に埋設される通信線や電力線などのケーブルを内部に収容し、ケーブルを保護するための管であり、本管２０、分岐管２２、および本管２０と分岐管２２とを接続する分岐管継手１０などを含む。なお、以下の説明では、一例として、通信ケーブルを収容するケーブル保護管に用いられる分岐管継手１０を想定して説明するが、分岐管継手１０の用途はこれに限定されるものではない。
【００２５】
本管２０は、たとえば、道路に沿って地中に埋設される管であり、硬質塩化ビニル等の合成樹脂などによって形成される。本管の内径は、たとえば１７５ｍｍである。この本管２０には、本管２０の内部を上部空間２４と下部空間２６とに区画するセパレータ２８が設けられる。セパレータ２８の上面、つまり上部空間２４の底面は、本管２０の管軸近傍から斜め上方に向けて本管２０の内面まで延びる傾斜面３０を有する。また、下部空間２６には、複数の鞘管３２が挿通される。
【００２６】
本管２０内に収容される通信ケーブルは、たとえば、電話局間を結ぶ幹線ケーブル３４と、幹線ケーブル３４から分岐して建物内に引き込まれる分岐ケーブル３６とを含む。本管２０の下部空間２６に設けられる鞘管３２内には、幹線ケーブル３４が個別に収容され、本管２０の上部空間２４には、複数の分岐ケーブル３６が収容される。また、分岐ケーブル３６は、セパレータ２８が有する傾斜面３０に案内されて、上部空間２４の底部中央およびその近傍を通るように通線される。
【００２７】
また、本管２０の管壁の斜め上部には、本管２０の管軸方向に延びる略矩形状の分岐孔３８が形成される。この分岐孔３８は、上部空間２４と本管２０の外部とを連通する開口であり、分岐ケーブル３６を建物内に引き込むときに、分岐ケーブル３６を上部空間２４から分岐管継手１０内および分岐管２２内に取り出すために用いられる。分岐孔３８の大きさは、たとえば、周方向長さが１００ｍｍであり、軸方向長さが３００ｍｍである。
【００２８】
分岐管２２は、たとえば、本管２０から横方向に分岐して建物内などまで延びる管であり、硬質塩化ビニル等の合成樹脂などによって形成される。分岐管２２は、分岐管継手１０に接続される曲管（この実施例では６５°の曲管）を含み、分岐管２２内には、本管２０から分岐管継手１０を介して１または複数の分岐ケーブル３６が引き込まれる。分岐管２２の内径は、たとえば５０ｍｍである。
【００２９】
分岐管継手１０は、本管２０と分岐管２２とを接続するための継手であり、硬質塩化ビニル樹脂などを用いる射出成型、またはプレス成型などの２次加工などによって形成される。
【００３０】
図４−６に示すように、分岐管継手１０は、サドル部１２および枝管部１４を含み、本管２０の斜め上部に取り付けられる。サドル部１２は、本管２０の外面に沿うように湾曲し、かつ本管２０の管軸方向に延びる略矩形の曲板状に形成される。サドル部１２の大きさは、本管２０の分岐孔３８を完全に覆う大きさである。分岐管継手１０を本管２０に取り付ける際には、たとえば、サドル部１２の上部側縁が本管２０の管頂に沿うように配置されて位置決めされ、分岐孔３８周囲の本管２０外面とサドル部１２内面とが接着接合などによって水密的に接続される。
【００３１】
サドル部１２の外面には、サドル部１２（分岐管継手１０）を本管１０に取り付けた状態で、本管２０の管軸方向に対して鋭角に突出して水平方向に延びる、短直管状の枝管部１４が形成される。また、枝管部１４の端部は、縮径された差口形状に形成される。枝管部１４の取り出し角度α（図２参照）は、分岐ケーブル３６の引込作業が円滑に行える角度に設定されることが好ましく、たとえば１５〜４５°に設定される。また、枝管部１４の取り付け角度β（図４参照）は、本管２０の上部空間２４と連通するように接続でき、かつ枝管部１４の管頂が本管２０の管頂より高くならないように設定されることが好ましく、たとえば２５〜４５°に設定される。この実施例では、枝管部１４の取り出し角度αは、２５°であり、取り付け角度βは、３０°である。
【００３２】
また、サドル部１２には、本管２０の分岐孔３８（つまり上部空間２４）と枝管部１４の内部とを連通するための開口１６が形成される。開口１６は、サドル部１２を本管２０に取り付けた状態で、本管２０の管軸に対して斜め方向に延びる略楕円形状を有し、本管２０の分岐孔３８内におおよそ収まる大きさを有する（図３参照）。また、開口１６の側縁は、サドル部１２の内面と枝管部１４の内面とを滑らかに連結させ、その下側の側縁（下部側縁）１６ａは、枝管部１４の突出方向へ向かうに従い下方に傾斜する傾斜面となる。
【００３３】
以下、上述のような分岐管継手１０を用いて、本管２０と分岐管２２とを接続し、分岐ケーブル３６を新たに通線する（建物内などに引き込む）方法について説明する。
【００３４】
先ず、分岐管継手１０を用いて本管２０と分岐管２２とを接続する接続方法について説明する。本管２０と分岐管２２とを接続する際には、先ず、本管２０の管軸方向の所望位置、たとえば建物内まで最短距離で分岐ケーブル３６を通線できる位置の、本管２０の斜め上部の管壁を略矩形に切断し、所望の大きさの分岐孔３８を形成する。この分岐孔３８の側縁は、ヤスリ等を用いて適宜面取りされる。
【００３５】
次に、本管２０の外面に分岐管継手１０を接着接合などによって取り付ける。この際には、本管２０の外面またはサドル部１２の内面、または双方の所定部分に接着剤（接合剤）を塗布する。その後、本管２０の分岐孔３８に分岐管継手１０の開口１６がくる所定位置で、本管２０の外面とサドル部１２の内面とを密着させた状態で、固定バンド等を用いて固定する。この実施例では、サドル部１２の上部側縁を本管２０の管頂に沿うように配置すれば、周方向の位置決めが自動的に行われる。また、軸方向の位置決めは、たとえば、サドル部１２の外面に突起などの目印を予め形成しておき、その目印と本管２０の分岐孔３８の端部とを一致させることによって行うとよい。
【００３６】
本管２０に分岐管継手１０を取り付けた後、分岐管２２の端部に枝管部１４の端部を差し込み、接着接合などによって接続することにより、本管２０と分岐管２２との接続作業を終了する。これによって、本管２０の上部空間２４から分岐して、本管２０の管軸に対して直角に曲がる、かつ水平方向に延びる管路が形成される（図１および２参照）。
【００３７】
本管２０と分岐管２２との接続作業を終了すると、続いて、通線治具を使用して、分岐ケーブル３６の引込作業を行う。通線治具としては、通線ロッド（図示せず）、通線ヒモ４０、および膨縮自在の球状膨縮部（図示せず）等を備える、従来公知のものを用いるとよい。
【００３８】
分岐ケーブル３６の引込作業を行う際には、先ず、分岐管２２の一方端から先端に球状膨縮部を取り付けた通線ロッドを挿入し、球状膨縮部がハンドホール（図示せず）に到達するまで、通線ロッドをそのまま押し込んでいく。この際、枝管部１４がサドル部１２（本管２０）から鋭角に突出する直管状に形成されているので、球状膨縮部などが枝管部１４で引っ掛かることなく、容易に通線ロッドの挿入作業を行うことができる。なお、ハンドホールは、特殊部または接続枡とも言い、本管２０の軸方向に適宜な間隔で設けられる枡であり、ケーブルの引き込みや点検作業またはケーブル同士の接続を行うため等に利用される枡である。
【００３９】
球状膨縮部がハンドホールに到達すると、そこで球状膨縮部を通線ロッドから外し、代わりに、分岐ケーブル３６を引き込むための通線ヒモ４０を通線ロッドに取り付ける。そして、通線ロッドを引き戻して、分岐管２２の一方端まで通線ヒモ４０を引き込む。さらに、新たに引き込む分岐ケーブル３６、つまり新規ケーブル３６ａに滑剤を塗布し、新規ケーブル３６ａを通線ヒモ４０のハンドホール側端部にヨリ戻しを介して接続し、通線ヒモ４０を分岐管２２側端部から引き戻す。これによって、新規ケーブル３６ａは、通線ヒモ４０によって牽引されて、ハンドホールから本管２０（上部空間２４および分岐孔３８）および分岐管継手１０（開口１６および枝管部１４）を介して、分岐管２２の一方端まで引き込まれる。この際にも、枝管部１４がサドル部１２から鋭角に突出する直管状に形成されているので、通線治具および新規ケーブル３６ａが枝管部１４で引っ掛かることなく、容易に引込作業を行うことができる。
【００４０】
また、新規ケーブル３６ａの引込時には、図７に示すように、枝管部１４から分岐管２２にかけての管路が本管２０から横方向にカーブしているため、通線ヒモ４０（先行する通線ロッドおよび後続する新規ケーブル３６ａも同様。以下まとめて「通線ヒモ４０等」と言うことがある。）は、カーブ内側へ向かう力を受ける。カーブ内側へ向かう力を受けると、開口１６が本管２０の管軸に対して斜め方向に延びるように形成されていることから、図８に示すように、通線ヒモ４０等は、開口１６の下部側縁１６ａのカーブ内側に乗り上げるようにして、分岐管２２（枝管部１４）の管軸高さ（またはそれに近い高さまで）引き上げられる。つまり、引込張力が作用しているときには、通線ヒモ４０等は、分岐管継手１０の開口１６を通過する際に、開口１６の下部側縁１６ａ上であって、分岐管２２の略管軸高さの位置を通る。
【００４１】
一方、引込作業が終了して引込張力から解放された分岐ケーブル３６、つまり既設ケーブル３６ｂは、開口１６の下部側縁１６ａが傾斜していることから、自重によって開口１６の底部（カーブ外側）に移動し、開口１６の底部を通るようになる（図３参照）。
【００４２】
この後、同様にして、所望本数の分岐ケーブル３６を同じ分岐管２２に引き込んでいくが、上述のように、通線ヒモ４０等は、分岐管継手１０の開口１６を通過する際に、開口１６の下部側縁１６ａ上であって、分岐管２２の管軸高さの位置（新規ケーブル挿通部４２）を通る。一方、引込作業が終了した既設ケーブル３６ｂは、開口１６の底部（既設ケーブル保持部４４）を通る。すなわち、図９および図１０に示すように、新規ケーブル３６ａを引き込むときには、通線ヒモ４０等は、既設ケーブル３６ｂに対して上方および軸方向に分離した状態で牽引される、つまり、新規ケーブル挿通部４２と既設ケーブル保持部４４との間には分離部４６が形成されるので、通線ヒモ４０等の既設ケーブル３６ｂ下への潜り込み等が防止され、引込作業は既設ケーブル３６ｂの影響を受けない。
【００４３】
既設ケーブル３６ｂの下に通線ヒモ４０等が潜り込んでしまうと、通線ヒモ４０等が既設ケーブル３６ｂに絡まってしまったり、既設ケーブル３６ｂから摩擦力を受けたりするので、引込作業が困難となる。また、通常、本管２０の分岐孔３８および分岐管継手１０の開口１６においては、既設ケーブル３６ｂが持ち上がった状態となってその下に隙間ができてしまうので、引込作業時に通線ヒモ４０等が既設ケーブル３６ｂの下に潜り込み易くなるが、この実施例では、通線ヒモ４０等の既設ケーブル３６ｂ下への潜り込みが防止されるのである。
【００４４】
また、引込張力から解放された既設ケーブル３６ｂは、開口１６の下部側縁１６ａを滑るように移動するため、敷設順に比較的綺麗に開口１６の底部（既設ケーブル保持部４４）に並ぶ。つまり、新規ケーブル３６ａを引き込む際の通線ルート（新規ケーブル挿通部４２）に既設ケーブル３６ｂが乱雑に通線されることがないので、既設ケーブル３６ｂの本数が多くなった場合にも、容易に引込作業を行うことができる。
【００４５】
なお、分岐管継手の開口を本管２０の管軸に対して斜め方向に形成せずに、本管の管軸方向にのみ延びるように形成すると、通線ヒモ４０等と既設ケーブル３６ｂとが共に同様の位置を通ることが、この発明者らの検証実験によって確認されている。しかし、この実施例では、本管２０の管軸に対して斜め方向に延びるように開口１６を形成したので、新たに分岐ケーブル３６（新規ケーブル３６ａ）を引き込むときに、通線ヒモ４０等が既設ケーブル３６ｂに対して上方および軸方向に分離された状態で牽引される。したがって、この実施例によれば、既設ケーブル３６ｂ下への通線ヒモ４０等の潜り込みが防止され、分岐ケーブル３６の引込作業が容易となる。
【００４６】
また、枝管部１４がサドル部１２（本管２０）から鋭角に突出するように形成されているので、通線治具および新規ケーブル３６ａが枝管部１４で引っ掛かることなく、通線治具の挿入作業および分岐ケーブル３６の引込作業を容易に行うことができる。
【００４７】
さらに、分岐管継手１０を本管２０の斜め上部に接続するので、本管２０の略真横（略管軸高さ）に接続する分岐管継手と比較して、本管２０の周囲を掘削する幅を小さくできると共に、接続作業を容易に行うことができる。また、枝管部１４が本管２０の管頂よりも上方に突出しないので、本管２０の埋設深さを浅くでき、他工事でバックホーのショベル等との接触による事故も低減される。
【００４８】
続いて、図１１および１２を参照して、この発明の他の実施例である分岐管継手１０について説明する。図１１に示す分岐管継手１０は、図４に示す分岐管継手１０とほぼ同じであるが、サドル部１２の内面に突起部４０を有する点が異なる。以下、図１１に示す分岐管継手１０について具体的に説明するが、図４に示す分岐管継手１０と同様の部分については、同じ参照番号を用い、その説明を省略或いは簡略化する。
【００４９】
図１１および１２に示すように、分岐管継手１０は、サドル部１２および枝管部１４を含む。サドル部１２は、本管２０の外面に沿うように湾曲し、かつ本管２０の管軸方向に延びる略矩形の曲板状に形成される。枝管部１４は、サドル部１２の外面に形成され、サドル部１２を本管１０に取り付けた状態で、本管２０の管軸方向に対して鋭角に突出して水平方向に延びるように、短直管状に形成される。また、サドル部１２には、本管２０の分岐孔３８と枝管部１４の内部とを連通するための開口１６が形成される。開口１６は、サドル部１２を本管２０に取り付けた状態で、本管２０の管軸に対して斜め方向に延びる略楕円形状を有し、本管２０の分岐孔３８内に略収まる大きさを有する。
【００５０】
さらに、サドル部１２には、その内面から径方向に突出する突起部１８が形成される。突起部１８は、枝管部１４の突出方向と逆側の開口１６横であって、サドル部１２を本管２０に取り付けた状態で分岐孔３８の範囲内に収まる位置に配置される。突起部１８は、その縦断面がこの実施例では略台形状となるようにサドル部１２の内面から突出する。突起部１８の上面１８ａは、サドル部１２の内面とほぼ同じ曲率で湾曲する形状を有する。突起部１８の高さは、本管２０の内面とほぼ同じ高さになるように、或いは本管２０の内面から少し（たとえば１ｍｍ程度）突出するように設定される。
【００５１】
図１３に示すように、図１１に示す分岐管継手１０を用いて本管２０と分岐管２２とを接続した場合、図４に示す分岐管継手１０と同様に、新規ケーブル３６ａを引き込むときには、通線ヒモ４０等が既設ケーブル３６ｂに対して上方および軸方向に分離されるので、通線ヒモ４０等の既設ケーブル３６ｂ下への潜り込みが防止される。つまり、新規ケーブル挿通部４２と既設ケーブル保持部４４との間に分離部４６が形成されるので、通線ヒモ４０等の既設ケーブル３６ｂ下への潜り込みが防止される。
【００５２】
また、引込張力が作用しているとき、開口１６下側の側縁１６ａによって分岐管２２の管軸高さまで引き上げられる通線ヒモ４０等は、開口１６横に配置される突起部１８の上面１８ａ上を通る。このとき、通線ヒモ４０等は、突起部によって本管２０径方向の位置が制限されるので、本管２０の分岐孔３８の側縁との接触が避けられる。
【００５３】
ここで、本管２０の分岐孔３８は、施工現場で本管２０を切断することによって形成されるものである。本管２０の分岐孔３８を形成する際には、分岐孔３８の側縁に丸みを帯びさせるような面取りを行うことが推奨されている。しかし、施工現場で面取りを行うには手間がかかり、作業者によっては適切に実施されないこともあるので、分岐孔３８の側縁が粗面状のまま残る場合がある。このため、分岐ケーブル３６の引込作業時に、通線ヒモ４０等が分岐孔３８の側縁に当たってしまうと、引っ掛かりが生じたり、通線ヒモ４０等が傷ついたり切れたりしてしまう恐れがあるが、図１１に示す分岐管継手１０では、そのような問題が解消される。
【００５４】
つまり、図１１に示す分岐管継手１０によれば、通線ヒモ４０等と本管２０の分岐孔３８の側縁との接触が避けられるので、より容易かつ安全に分岐ケーブル３６の引込作業を行うことができる。
【００５５】
なお、上述の各実施例では、枝管部１４を直管状に形成したが、これに限定されず、枝管部１４を滑らかに曲がる曲管状に形成することもできる。また、その端部の径が縮径する差口形状に枝管部１４を形成したが、これに限定されず、枝管部１４は、ストレートの差口形状に形成することもできるし、或いは受口形状に形成することもできる。
【００５６】
また、上述の各実施例では、サドル部１２を略矩形の曲板状に形成したが、これに限定されない。サドル部１２は、本管２０の外面に沿うように湾曲する形状であって、本管２０の分岐孔３８を略覆う大きさを有していればよく、たとえば、半円筒状に形成することもできる。
【００５７】
さらに、上述の各実施例では、開口１６の下部側縁１６ａにおいて、新規ケーブル挿通部４２から分離部４６にかけて一様に傾斜させているが、これに限定されない。たとえば、分離部４６に段差を設けることもできるし、分離部４６の傾斜を新規ケーブル挿通部４２の傾斜より大きくすることもできる。
【００５８】
また、上述の各実施例では、図１で見て、本管２０の右斜め上部に分岐管継手１０を取り付けたが、これに限定されず、本管２０の左斜め上部に分岐管継手１０を取り付けることもできる。さらに、本管２０の両側に分岐ケーブル３６を引き込みたい場合には、本管２０の右斜め上部および左斜め上部の両側に分岐管継手１０を取り付けるとよい。ただし、本管２０の右斜め上部に取り付ける場合と左斜め上部に取り付ける場合とでは、枝管部１４の突出方向が本管２０の管軸方向に対して逆方向になる。本管２０の右斜め上部で、枝管部１４を本管２０の管軸方向に対して逆方向に出したい場合は、上述の分岐管継手１０と左右対称の形状を有する分岐管継手１０を作成するとよい。
【００５９】
また、分岐管継手１０は、セパレータ２８が設けられていない本管２０に取り付けることもできる。この場合、通線ヒモ４０等が分岐管継手１０の開口１６を通過する高さ位置は少し低くなるが、既設ケーブル３６ｂよりも上方を通過することに変わりはないので、既設の分岐ケーブル３６ｂ下への通線ヒモ４０等の潜り込みを防止できる。もちろん、開口１６が広くとれるように、枝管部１４の径を拡げてもよい。
【００６０】
さらに、上述の各実施例では、本管２０の分岐孔３８を略矩形に形成したが、これに限定されない。たとえば、図１４に示すように、左右非対称の分岐孔３８とし、かつ、片側のみサドル部１２の突起部１８が収まる形状および寸法に設定することもできる。これによって、分岐管継手１０が左右逆に誤って取り付けられることが防止される。
【００６１】
なお、上述した寸法などの具体的数値は、いずれも単なる一例であり、必要に応じて適宜変更可能である。また、水平方向とは、厳密な意味での水平方向だけでなく、略水平方向も含む概念である。
【符号の説明】
【００６２】
１０  …分岐管継手
１２  …サドル部
１４  …枝管部
１６  …開口
１６ａ  …開口の側縁
１８  …突起部
２０  …本管
２２  …分岐管
３６  …分岐ケーブル
３６ａ  …新規ケーブル
３６ｂ  …既設ケーブル
３８  …本管の分岐孔
４０  …通線治具の通線ヒモ
【図１】
0005470110.tif 000002
【図２】
0005470110.tif 000003
【図３】
0005470110.tif 000004
【図４】
0005470110.tif 000005
【図５】
0005470110.tif 000006
【図６】
0005470110.tif 000007
【図７】
0005470110.tif 000008
【図８】
0005470110.tif 000009
【図９】
0005470110.tif 000010
【図１０】
0005470110.tif 000011
【図１１】
0005470110.tif 000012
【図１２】
0005470110.tif 000013
【図１３】
0005470110.tif 000014
【図１４】
0005470110.tif 000015